(57)【要約】【課題】  同じライン画像データを２回（以上）繰り返して走査露光を行う場合、多重露光分による影響をなくし，適切な画像濃度が得られるレーザー露光装置を提供すること。【解決手段】  レーザー光を出力するレーザー光源１０，１１，１２と、画像データに基づいてレーザー光を光変調させる光変調器１３，１４，１５と、光変調されたレーザー光をペーパー１に対して、主走査方向に走査させる走査手段を設けているレーザー露光装置１００であって、１ライン分の同じ画像データに基づく主走査を２回繰り返すように、走査手段を制御する走査制御部５６と、画像データのうち設定濃度よりも画像濃度が濃くなるようなデータについて、濃度レベルが薄くなる方向にデータを画素ごとに補正するデータ補正手段５３とを備え、走査制御部５６は、２回目の主走査において、データ補正手段５３により補正された画像データに基づいて主走査を行うように制御する。【選択図】  図１
2005271560.tif 000002
【特許請求の範囲】
【請求項１】
レーザー光を出力するレーザー光源と、
画像データに基づいてレーザー光を光変調させる光変調器と、
光変調されたレーザー光を画像形成媒体に対して、主走査方向に走査させる走査手段を設けているレーザー露光装置であって、
１ライン分の同じ画像データに基づく主走査をＮ回（Ｎ≧２）繰り返すように、走査手段を制御する走査制御部と、
画像データのうち設定濃度よりも画像濃度が濃くなるようなデータについて、濃度レベルが薄くなる方向にデータを画素ごとに補正するデータ補正手段とを備え、
前記走査制御部は、少なくとも２回目の主走査において、データ補正手段により補正された画像データに基づいて主走査を行うように制御することを特徴とするレーザー露光装置。
【請求項２】
データ補正手段による補正は、画像濃度が濃くなるほど補正値が大きくなるように設定されていることを特徴とする請求項１に記載のレーザー露光装置。
【請求項３】
前記補正値は、画像濃度と設定濃度の差に対して所定の比率を乗算した結果に基づいて設定されていることを特徴とする請求項２に記載のレーザー露光装置。
【請求項４】
前記データ補正手段は、少なくとも１つの変換テーブルを備えており、２回目の主走査を行うときには、画像データを変換テーブルによりデータの補正を行うように構成したことを特徴とする請求項１〜３のいずれか１項に記載のレーザー露光装置。
【請求項５】
前記データ補正手段は、少なくとも第１変換テーブルと第２変換テーブルとを備えており、１回目の主走査のときは第１変換テーブルを使用し、２回目の主走査のときには第２変換テーブルを使用するように構成したことを特徴とする請求項１〜３のいずれか１項に記載のレーザー露光装置。
【請求項６】
レーザー光を出力するレーザー光源と、
画像データに基づいてレーザー光を光変調させる光変調器と、
光変調されたレーザー光を画像形成媒体に対して、主走査方向に走査させる走査手段を設けているレーザー露光装置であって、
１ライン分の同じ画像データに基づく主走査をＮ回（Ｎ≧２）繰り返すように、走査手段を制御する走査制御部と、
画像データのうち設定濃度よりも画像濃度が濃くなるようなデータについて、濃度レベルが薄くなる方向にデータを画素ごとに補正するデータ補正手段とを備え、
前記走査制御部は、Ｎ回分の主走査のうち１回分は前記補正がされない画像データに基づいて主走査が行われ、残りの主走査については、データ補正手段により補正された画像データに基づいて主走査を行うように制御することを特徴とするレーザー露光装置。
【発明の詳細な説明】
【技術分野】
【０００１】
本発明は、レーザー光を出力するレーザー光源と、画像データに基づいてレーザー光を光変調させる光変調器と、光変調されたレーザー光を画像形成媒体に対して、主走査方向に走査させる走査手段を設けているレーザー露光装置に関するものである。
【背景技術】
【０００２】
かかるレーザー露光装置は、ネガフィルム等の写真フィルムに形成されたコマ画像をスキャナーにより読みとってデジタルデータ化し、この画像データに基づいて写真感光材料（画像形成媒体に相当）の乳剤面に画像を焼付露光するために使用されている。画像の焼付露光により、写真プリントを作成することができる。
【０００３】
このレーザー露光装置は、レーザー光源（カラー画像形成の場合は、Ｒ，Ｇ，Ｂの三色に対応した３つの光源）を備えており、このレーザー光源から出力されるレーザー光を画像データに基づいて光変調し、この光変調されたレーザー光により画像が焼付露光される。画像の焼付露光を行う場合は、写真感光材料を副走査方向に沿って一定速度で搬送させつつ、レーザー光を主走査方向（副走査方向と直交する）に沿って繰り返し走査させることで２次元画像を形成することができる。このような露光方法は、走査露光とも呼ばれている。
【０００４】
かかる走査露光において、１ライン分の同じ画像データを主走査方向に２回（あるいは２回以上）繰り返して走査する技術が知られている（例えば、下記特許文献１）。すなわち、ある１ライン分の主走査から次の１ライン分の主走査に切り替わるときに、レーザー光が不連続となるため、ライン間に間隔が空いてしまう。そのため、写真感光材料を搬送する搬送系の乱れ（バンディング）が生じると、主走査方向に沿ってライン間隔が一定とならず、画像にスジ模様が目立つようになり、画質を低下させてしまう。かかる問題に対処するため、副走査方向の走査間隔を主走査方向の画素間隔の１／２とし、同じ画像データを２回分主走査するようにしている。
【０００５】
しかしながら、かかる同じ画像データに基づく主走査を２回（以上）行う場合には、次に説明するような問題がある。まず、レーザー光のビーム形状を説明すると、図６に示すように中心が最も強度が大きくなっており、およそガウシアン分布に近い形になっている。従って、乳剤面に形成される画素の濃度も図  に従った濃度分布となっている。通常、ビームの径は、光軸に直交する面で測定されたピーク値の１／ｅ2（１３．５％）のレベルのビーム強度の幅で定義している。しかし、実際は１／ｅ2よりも外側に山の裾野のような微弱なエネルギー分布が存在する。このような裾野部分は、１回だけの主走査（露光）では、発色しないレベルであったとしても、同じ画像データを２回繰り返す場合には、多重露光分として画質に影響を与えてしまう。
【０００６】
これをわかりやすく図示すると、図７のようになる。画像濃度が薄いようなレベルであれば、ビーム径も小さいと考えられるので、多重露光分による影響は無視できるレベルであるが、画像濃度が濃くなってくると、山の裾野部分の重なりにより、本来予定していた画像濃度よりもやや高い濃度の画素となってしまい、所望の品質の写真プリントを得られなくなる。
【特許文献１】特開２００３−３４０５０号公報
【発明の開示】
【発明が解決しようとする課題】
【０００７】
本発明は上記実情に鑑みてなされたものであり、その課題は、同じライン画像データを２回（以上）繰り返して走査露光を行う場合、多重露光分による影響をなくし，適切な画像濃度が得られるレーザー露光装置を提供することである。
【課題を解決するための手段】
【０００８】
上記課題を解決するため本発明に係るレーザー露光装置は、
レーザー光を出力するレーザー光源と、
画像データに基づいてレーザー光を光変調させる光変調器と、
光変調されたレーザー光を画像形成媒体に対して、主走査方向に走査させる走査手段を設けているレーザー露光装置であって、
１ライン分の同じ画像データに基づく主走査をＮ回（Ｎ≧２）繰り返すように、走査手段を制御する走査制御部と、
画像データのうち設定濃度よりも画像濃度が濃くなるようなデータについて、濃度レベルが薄くなる方向にデータを画素ごとに補正するデータ補正手段とを備え、
前記走査制御部は、少なくとも２回目の主走査において、データ補正手段により補正された画像データに基づいて主走査を行うように制御することを特徴とするものである。
【０００９】
この構成によるレーザー露光装置の作用・効果を説明する。この装置は、レーザー光により走査露光を行うに際して、１ライン分の同じ画像データをＮ回（Ｎ≧２）繰り返すように走査手段が制御される。そして、画像データのうち、設定濃度よりも画像濃度が濃くなるようなデータについては、その画像濃度が薄くなる方向にデータを補正する。補正はデータ補正手段により行われ、画素ごとに行われる。１回目の主走査は、補正を行っていない画像データに基づいて走査露光を行い、２回目（あるいは２回目以後）は補正された画像データに基づいて走査露光を行う。従って、濃度の濃い画素に付いては、２回目は濃度が薄い状態で露光されるので、多重露光部分の影響をなくすことができる。なお濃度が薄い画素については、同じ画像データで露光される。その結果、同じライン画像データを２回（以上）繰り返して走査露光を行う場合、多重露光分による影響をなくし，適切な画像濃度が得られるレーザー露光装置を提供することができる。
【００１０】
本発明に係るデータ補正手段による補正は、画像濃度が濃くなるほど補正値が大きくなるように設定されていることが好ましい。
【００１１】
画像濃度が大きくなればなるほど、裾野部分の重なりの影響が大きくなる。従って、画像濃度が濃くなるほど補正値を大きくし、濃度が薄くなる方向への補正度合いをより大きくすることが好ましい。これにより、より適切なデータ補正を行うことができる。
【００１２】
本発明に係る補正値は、画像濃度と設定濃度の差に対して所定の比率を乗算した結果に基づいて設定されていることが好ましい。
【００１３】
例えば、基準となる設定濃度を１５０とすると、比率を１／２０とすれば、濃度２００の画素についての補正値は、（２００−１５０）／２０＝２．５  であり、濃度２５０についての補正値は、（２５０−１５０）／２０＝５  である。これにより、画像濃度が濃くなるほど補正値を大きくすることができる。また、比率は１つのみ定めておけば良く、演算も容易に行うことができる。
【００１４】
本発明に係るデータ補正手段は、少なくとも１つの変換テーブルを備えており、２回目の主走査を行うときには、画像データを変換テーブルによりデータの補正を行うように構成したことが好ましい。
【００１５】
これによれば、１回面の走査露光では、変換テーブルを使用しないでデータを送出し、２回目は変換テーブルにより補正されたデータで走査露光を行うことができる。変換テーブルは、予め求めておくことができるので、演算処理も簡素化することができる。
【００１６】
本発明に係るデータ補正手段は、少なくとも第１変換テーブルと第２変換テーブルとを備えており、１回目の主走査のときは第１変換テーブルを使用し、２回目の主走査のときには第２変換テーブルを使用するように構成することが好ましい。
【００１７】
画像濃度の補正以外にも画像データの変換を行うことがある。例えば、オリジナルの画像データのビット数を変換する場合（例えば、８ビットから１２ビットに変換）である。ビット数の変換により、よりきめこまかな階調表現を行うことができるからである。そこで、１回目の走査露光では第１変換テーブルを使用し、この変換テーブルには前述の濃度を薄くするための補正は含まれない。２回目の走査露光で使用する第２変換テーブルでは、濃度を薄くするための補正が含まれる。かかる変換テーブルを使用することで、先ほどと同様に、演算処理を簡素化することができる。
【００１８】
上記課題を解決するため本発明に係る別のレーザー露光装置は、
レーザー光を出力するレーザー光源と、
画像データに基づいてレーザー光を光変調させる光変調器と、
光変調されたレーザー光を画像形成媒体に対して、主走査方向に走査させる走査手段を設けているレーザー露光装置であって、
１ライン分の同じ画像データに基づく主走査をＮ回（Ｎ≧２）繰り返すように、走査手段を制御する走査制御部と、
画像データのうち設定濃度よりも画像濃度が濃くなるようなデータについて、濃度レベルが薄くなる方向にデータを画素ごとに補正するデータ補正手段とを備え、
前記走査制御部は、Ｎ回分の主走査のうち１回分は前記補正がされない画像データに基づいて主走査が行われ、残りの主走査については、データ補正手段により補正された画像データに基づいて主走査を行うように制御することを特徴とするものである。
【００１９】
先ほどは、１回目が補正を行っていない画像データで走査露光が行われ、２回目（以後）は補正された画像データで走査露光を行ったが、この順番については入れかえることができる。例えば、１回目を補正データに基づいて行うことができる。また、Ｎ回繰り返すのであれば、補正をしない画像データに基づく走査露光をどの回数目で行うかは、適宜設定することができる。
【発明を実施するための最良の形態】
【００２０】
本発明に係る写真処理装置の好適な実施形態を図面を用いて説明する。 図１は、写真処理装置に設けられているレーザー露光装置の構成を示す模式図である。レーザー露光装置は、ペーパー（写真感光材料及び画像形成媒体に相当）にレーザー光を走査露光することで画像を焼付露光させる機能を有する。
【００２１】
＜レーザー露光装置の構成＞
図１に示すように、レーザー露光装置１００は大きく分けてレーザー光源部Ｐ１とレーザー走査部Ｐ２とを備えている。レーザー光源部Ｐ１は、赤レーザー光源として機能するＲ光半導体レーザー１０と、緑レーザー光源として機能するＧ光レーザーダイオード励起固体レーザー(以下、ＬＤ励起固体レーザーと省略する。)１１と、青レーザー光源として機能するＢ光ＬＤ励起固体レーザー１２と、Ｒ光半導体レーザー１０から出力されるＲレーザービームを変調するＲ光音響光学素子 (光変調器に相当し、以下、音響光学素子をＡＯＭと省略する) １３と、Ｇレーザービームを変調するＧ光ＡＯＭ１４と、Ｂ光レーザービームを変調するＢ光ＡＯＭ１５と、各ＡＯＭ１３，１４，１５をそれぞれ駆動するＲ光ＡＯＭドライバ１６とＧ光ＡＯＭドライバ１７とＢ光ＡＯＭドライバ１８とを備えている。赤レーザー光源については、ＬＤ励起固体レーザーを発信させる必要がないので、半導体レーザーを使用している。
【００２２】
Ｒ光半導体レーザー１０、Ｇ光、Ｂ光ＬＤ励起固体レーザー１１，１２と、各ＡＯＭ１３，１４，１５との間の光路中には集光レンズ１９，２０，２１を設けて、各ＡＯＭ１３，１４，１５に入射されるビーム径を絞っている。ビーム径を絞ることにより変調速度を上げることができる。
【００２３】
Ｂ光ＡＯＭ１５の構成を簡単に説明すると、音響光学効果を生じる音響光学媒体１５ａと、Ｂ光ＡＯＭドライバ１８から入力される高周波信号により超音波を出力する圧電素子１５ｂと、音響光学媒体１５ａを通過してきた超音波を吸収する超音波吸収体１５ｃとを備えている。Ｂ光ＡＯＭ１５に入射された青レーザービームは、Ｂ光ＡＯＭドライバ１８からの高周波信号の周波数や振幅の大きさに応じて回折され、Ｂ光ＡＯＭ１５からは複数本の回折された青レーザービームが出力される。Ｂ光ＡＯＭ１５の光路の下手側にはＢ光遮蔽板２４が設けられており、回折光のうち最も強度のある１次回折光のみを通過させるようにしている。以上のように、Ｂ光ＡＯＭドライバ１８により画像データに対応した高周波信号を生成し、この高周波信号をＢ光ＡＯＭ１５に供給することにより、青レーザービームを画像データに対応した光変調をさせることができる。以上の点は他のＡＯＭ１３，１４に関しても同じであり、Ｂ光遮蔽板２４と同様にＲ光遮蔽板２２、Ｇ光遮蔽板２３が設けられている。
【００２４】
レーザー光源部Ｐ１には、各レーザービームを合成するための合成手段Ｃが設けられている。合成手段Ｃは、光路の上手側から順に配置された第１ミラー２５と第２ミラー２６と第３ミラー２７とを備えている。
【００２５】
＜レーザー走査部の構成＞
合成されたレーザービームはレーザー走査部 (走査手段に相当) Ｐ２で走査される。レーザー走査部Ｐ２は、補正ミラー３０と、ポリゴンミラー３１と、ｆθレンズ３２と、走査開始位置制御用のミラー３３と、ミラー３３から反射されてくるレーザービームを検出する光センサー３４とを備えている。
【００２６】
ポリゴンミラー３１はポリゴンドライバ３５により駆動制御され、図１の時計方向に回転することにより、レーザービームをペーパー１の上を主走査して画像を露光形成する。また、ポリゴンミラー３１の面倒れがあると画像の品質が低下するので、それを補正するため補正ミラー３０が設けられている。
【００２７】
ｆθレンズ３２は、ポリゴンミラー３１により等角速度に偏向されたレーザービームをペーパー１上で等速になるように補正する。これにより歪曲収差が補正される。
【００２８】
前記ペーパー１に対する送り機構は、ペーパー１を挟持する駆動ローラ４０・圧着ローラ４１と、駆動ローラ４０を駆動するパルスモータ４２と、モータドライバ４３とからなる。
【００２９】
上記の構造により、プリントサイズに切断されたペーパー１を副走査方向に搬送させながら、前述のレーザー走査部Ｐ２におけるレーザービームを主走査させることで、レーザービームをペーパー１に対して照射し、これによりペーパー１に画像を焼付け露光する。焼付け露光されたペーパー１は、現像処理・乾燥処理されて装置外に排出される。なお、副走査方向は、図１の紙面に垂直な方向である。
【００３０】
＜走査制御系の構成＞
次に、走査制御系の構成を説明する。まず、画像データの流れを説明する。画像データは、種々の媒体から取得できるが、本実施形態では写真フィルムに形成されたコマ画像を読み取るスキャナー５０を例にあげて説明する。スキャナー５０により読みとられた画像データは、画像処理部５１に送信されて、画像処理が施された後、レーザー露光装置１００のほうに送信される。
【００３１】
画像処理部５１から送信されてきた画像データは、画像データ受信部５２（バッファーで構成される）により受信される。データ補正手段５３として、第１変換テーブル５３ａと第２変換テーブル５３ｂとが設けられており、いずれか一方の変換テーブルが使用される。データ補正手段５３の上流側には、経路切り替え部５４が設けられており、受信した画像データをいずれの変換テーブル５３ａ，５３ｂを用いて変換・補正するかを切り替える。データ補正手段５３の機能に付いては後述する。
【００３２】
データ補正手段５３により補正された画像データは、画像データ転送部５５を介して各ＡＯＭドライバ１６，１７，１８に送信される。なお、画像データは、カラー画像データであるので、Ｒ用画像データ、Ｇ用画像データ、Ｂ用画像データの３つが存在する。露光制御部５６は、レーザー露光装置１００に対する作動制御を行う。また、走査露光を行う際の画像データの転送制御や、データをいずれの変換テーブル５３ａ，５３ｂに基づいて変換するかの制御、すなわち、経路切り替え部５４に対する制御も行う。また、モータードライバ４３に対する制御も行い、これにより、ペーパー１に対する搬送制御を行うこともできる。
【００３３】
＜走査露光の具体的内容＞
次に、本発明にかかる走査露光について更に詳しく説明する。図２は、その概念図を示す。図２において、主走査方向（レーザー光が走査される方向）と副走査方向（ペーパーが搬送される方向）が示されている。本実施形態では、１ライン分の同じ画像データを２回主走査を行うようにしている。
【００３４】
既に説明したように、ある１ライン分の主走査から次の１ライン分の主走査に切り替わるときに、レーザー光が不連続となるため、ライン間に間隔が空いてしまう。そのため、写真感光材料を搬送する搬送系の乱れ（バンディング）が生じると、主走査方向に沿ってライン間隔が一定とならず、画像にスジ模様が目立つようになり、画質を低下させてしまう。かかる問題に対処するため、副走査方向の走査間隔を主走査方向の画素間隔の１／２とし、同じ画像データを２回分主走査する。
【００３５】
図２において、ラインＡ１とＡ２は同じ画像データに基づく主走査を示し、ラインＢ１とＢ２も同じ画像データに基づく主走査を示す。ラインＡ１，Ａ２の画像データとラインＢ１，Ｂ２の画像データとは、本来異なる画像データである。図２において、画素の大きさを概念的に図示している。ラインＡ１の各画素は、ＧA1-1，ＧA1-2，ＧA1-3，・・・で示されており、ラインＡ２の各画素は、ＧA2-1，ＧA2-2，ＧA2-3，・・・で示されている。ラインＡ１，Ａ２は同じ画像データに基づくものであるから、副走査方向において対応する画素ＧA1-1とＧA2-1，ＧA1-2とＧA2-2，ＧA1-3とＧA2-3・・・は、同じデータである。なお、ラインＢ１とＢ２も同様である。
【００３６】
画素の大きさは、レーザー光の強度により異なり、画像濃度が濃くなるような画素の場合（例としてＧA1-1とＧA2-1）、その濃度分布の裾野が重なり、多重露光部分が生じる（図７参照）。その結果、本来予定していた画像濃度よりも濃度が濃くなってしまうため、所望の画質の写真プリントが得られなくなる可能性がある。そこで、画像濃度が予め設定した設定濃度よりも濃くなるような画素に対しては、画像濃度が薄くなる方向に画像データの補正を行う。
【００３７】
図４は、画像データの値と画像濃度の関係を示すグラフである。横軸が画像データの値であり、8ビットとすれば０〜２５５までの数値により表され、数値が大きいほど画像濃度が濃くなる。そこで、多重露光部分が画質に影響を与えるレベルの濃度を設定濃度Ｄｓとし、この設定濃度Ｄｓに対応するデータ値Ｘｓよりも大きなデータ値を有する画像データについては、濃度が薄くなる方向に補正を行う。
【００３８】
仮にＸｓ＝１５０とすると、Ｘ＞１５０となるデータ値については、次のような補正演算でデータ補正を行う。
【００３９】
Ｘｈ＝Ｘ−（Ｘ−１５０）×α
Ｘｈは補正後のデータ値であり、αは補正比率である。仮にα＝１／３２と仮定すれば、Ｘ＝１８０，２２０については次のように計算される。
【００４０】
Ｘｈ＝１８０−（１８０−１５０）／３２＝１７９
Ｘｈ＝２２０−（２２０−１５０）／３２＝２１８
従って、Ｘ＝１８０のデータについては、１回目は１８０に対応する光量で、２回目は  １７９に対応する光量で露光が行われる。
【００４１】
Ｘ≦１５０のデータについては、全く同じ画像データで２回露光が行われることになる。補正データにより画像露光された場合のイメージは図３のようになり、多重露光部分による画質に対する影響が解消される。
【００４２】
次に変換テーブルについて説明する。本実施形態では、変換テーブルを用いたデータ補正手段５３を説明する。第１変換テーブル５３ａは、画像データを８ビットから１２ビットに変換するためのテーブルデータである。ある値の８ビットデータが入力されると、テーブルに従い、予め決められた１２ビットのデータに変換され、これが各ＡＯＭドライバ１６〜１８に送られる。かかるビット変換により、より階調をきめこまかく設定することができ、例えば、多数種のメーカーのペーパーに対応することができる。
【００４３】
第１変換テーブル５３ａでは、ビット変換のみ行い、画像データの補正は行わない。第２変換テーブル５３ｂでは、ビット変換に加えて前述の演算式に基づいて予め設定されたデータ補正も行われる。従って、同じ画像データの１回目の走査露光では第１変換テーブル５３ａを使用し、２回目の走査露光では第２変換テーブル５３ｂを使用する。
【００４４】
＜作動＞
次に、レーザー露光装置１００を用いた写真プリントを作成について図５のフローチャートにより簡単に説明する。まず、ネガフィルム等の写真フィルムから画像データを取得する（＃１）。この画像データに対して画像処理が施された後、画像データはレーザー露光装置１００に対して送信される（＃２，３）。画像処理により、写真プリントを作成するのに適した画像データに変換される。
【００４５】
送信された画像データは、画像データ受信部５２により受信される（＃４）。画像データは１ライン単位で扱われ、次に走査すべきデータが１回目の主走査であるか否かを判断し（＃５）、１回目であれば露光制御部５６の制御に基づき、第１変換テーブル５３ａにより画像データが変換される（＃６）。次に、画像データ転送部５５に変換された画像データが各ＡＯＭドライバ１６〜１８に転送され（＃８），各色の光変調されたレーザー光が出力され走査露光が行われる（＃９）。２回目の主走査であれば、第２変換テーブル５３ｂにより変換及び補正が行われる（＃８）。
【００４６】
全ラインについて走査露光が終了すると（＃１０）、そのペーパーについては現像・乾燥処理が行われ（＃１１）、装置外部に写真プリントが排出される（＃１２）。
【００４７】
＜別実施形態＞
本実施形態では同じ主走査のうち２回目について補正を行ったデータを送出したが、１回目と２回目の順序を逆にし、１回目に補正したデータを送出するように制御しても良い。
【００４８】
本実施形態では同じデータを２回繰り返す例を説明したが、３回以上繰り返すようにしてもよい。例えば、Ｎ回繰り返す場合は、副走査方向の走査間隔は、主走査方向の画素間隔の１／Ｎになるように駆動ローラ１０が速度制御される。また、Ｎ回繰り返す場合は、そのうちの１回分について補正を行っていないデータで主走査を行い、残りのＮ−１回分について補正データにより主走査が行われる。この場合も、Ｎ回のうちの何回目の主走査で補正を行わない主走査を行うかは、適宜設定することができる。
【００４９】
データ補正手段５３として変換テーブルにより行う構成例を説明したが、これに限定されるものではない。例えば、論理回路（ハードウェア）に基づいてデータの変換を行うようにしても良い。
【００５０】
本実施形態では、補正値を演算するのに濃度が濃くなる画素ほど補正値が大きくなるように演算しているが、補正値を一定値とし、これを減算するようにしてもよい。
【００５１】
レーザー露光装置の具体的な構成は、本実施形態に限定されるものではない。例えば、レーザー光源としてＬＤ励起固体レーザーではなく、半導体レーザー等の他のタイプのものを使用してもよい。光学系の構成も適宜変更することができる。また、どのレーザー光源にどのようなタイプの光源を使用するかも、目的に応じて適宜設定することができる。
【図面の簡単な説明】
【００５２】
【図１】レーザー露光装置の構成を示す模式図
【図２】走査露光の具体的内容を示す概念図（従来例）
【図３】走査露光の具体的内容を示す概念図（本発明）
【図４】データ値と濃度値の関係を示すグラフ
【図５】写真プリント作成手順を示すフローチャート
【図６】レーザービームの強度分布を示すグラフ
【図７】画素どうしの関係を示す図
【符号の説明】
【００５３】
１        ペーパー
１０      Ｒ光ＬＤ励起固体レーザー（赤レーザー光源）
１１      Ｇ光ＬＤ励起固体レーザー（緑レーザー光源）
１２      Ｂ光ＬＤ励起固体レーザー（青レーザー光源）
１３      Ｒ光ＡＯＭ（Ｒ光光変調器）
１４      Ｇ光ＡＯＭ（Ｇ光光変調器）
１５      Ｂ光ＡＯＭ（Ｂ光光変調器）
５２      画像データ受信部
５３      データ補正手段
５３ａ    第１変換テーブル
５３ｂ    第２変換テーブル
５４      経路切り替え部
５５      画像データ転送部
５６      露光制御部（走査制御部）
１００    レーザー露光装置
Ｐ１      レーザー光源部
Ｐ２      レーザー走査部
【図１】
2005271560.tif 000003
【図２】
2005271560.tif 000004
【図３】
2005271560.tif 000005
【図４】
2005271560.tif 000006
【図５】
2005271560.tif 000007
【図６】
2005271560.tif 000008
【図７】
2005271560.tif 000009